(57)【要約】【課題】ハンガーに取り付ける際の施工の簡易化を図ることができる取付具及び天井構造を提供する。【解決手段】底部３１と底部３１から立ち上がる一対の立ち上がり部（左側壁部３２及び右側壁部３３）との間に野縁受け７０を支持するハンガー３０に取り付けられる取付具４０であって、記ハンガー３０の左側壁部３２を掴むことにより左側壁部３２に保持される掴み部５０と、掴み部５０が左側壁部３２を掴むのに合わせて一対の立ち上がり部（左側壁部３２及び右側壁部３３）を互いに拘束する拘束部６０と、を具備する。【選択図】図４
2019060134.tif 000002
【特許請求の範囲】
【請求項１】
底部と前記底部から立ち上がる一対の立ち上がり部との間に野縁受けを支持するハンガーに取り付けられる取付具であって、
前記ハンガーの少なくとも一部分を掴むことにより前記一部分に保持される掴み部と、
前記掴み部が前記一部分を掴むのに合わせて前記一対の立ち上がり部を互いに拘束する拘束部と、を具備する、
ことを特徴とする取付具。
【請求項２】
前記掴み部は、
前記一対の立ち上がり部のうち一方の第一立ち上がり部を掴み、
前記拘束部は、
前記掴み部に固定されていると共に、前記一対の立ち上がり部のうち他方の第二立ち上がり部と係合されることにより前記一対の立ち上がり部を互いに拘束する、
ことを特徴とする請求項１に記載の取付具。
【請求項３】
前記掴み部は、
所定方向に延びるようなスリット状に形成されると共に、前記所定方向の一側端部が開放された第一スリット部を有し、
前記第一立ち上がり部が前記第一スリット部に挿入されることにより前記第一立ち上がり部を掴むように形成される、
ことを特徴とする請求項２に記載の取付具。
【請求項４】
前記掴み部は、
前記第一スリット部に挿入された前記第一立ち上がり部が前記第一スリット部から抜けるのを規制する規制部を有する、
ことを特徴とする請求項３に記載の取付具。
【請求項５】
前記拘束部は、
所定方向に延びるようなスリット状に形成されると共に、前記所定方向の一側端部が開放された第二スリット部を有し、
前記第二立ち上がり部が前記第二スリット部に挿入されることにより、前記一対の立ち上がり部を互いに拘束する、
ことを特徴とする請求項２から請求項４までのいずれか一項に記載の取付具。
【請求項６】
一枚の板状部材が折曲されることにより形成されている、
ことを特徴とする請求項１から請求項５までのいずれか一項に記載の取付具。
【請求項７】
底部と前記底部から立ち上がる一対の立ち上がり部との間に野縁受けを支持するハンガーを具備する天井構造であって、
請求項１から請求項６までのいずれか一項に記載の取付具を具備する、
ことを特徴とする天井構造。
【発明の詳細な説明】
【技術分野】
【０００１】
本発明は、野縁受けを支持するハンガーに取り付けられる取付具及び天井構造の技術に関する。
【背景技術】
【０００２】
従来、野縁受けを支持するハンガーに取り付けられる取付具及び天井構造の技術は公知となっている。例えば、特許文献１に記載の如くである。
【０００３】
特許文献１には、野縁受けを支持するハンガーと、前記ハンガーに取り付けられる連結補強具（取付具）と、を具備する天井構造が記載されている。ハンガーは、底部と、前記底部に対して立ち上がるような一対の縦部と、からなる上方が開放されたフック部を有する。ハンガーは、フック部の内側で野縁受けを支持する。これに対して、連結補強具は、ハンガーのフック部を外側から挟み込むことが可能な挟み込み部を有する。こうして、連結補強具は、野縁受けを内側に支持した状態のフック部を挟み込み部により挟み込むと共に、前記挟み込み部にネジを螺合させることによって、ハンガーに取り付けられる。
【０００４】
このような構成により、特許文献１に記載の技術においては、例えば地震が発生して天井が揺れた場合であっても、ハンガーのフック部が開くように変形するのを連結補強具により抑制することができ、ひいてはフック部の内側に支持した野縁受けが落下するのを抑制することができる。
【先行技術文献】
【特許文献】
【０００５】
【特許文献１】特開２００７−２３７３７号公報
【発明の概要】
【発明が解決しようとする課題】
【０００６】
しかしながら、特許文献１に記載の技術においては、連結補強具（取付具）をハンガーに取り付ける際にネジを螺合させる必要があるため、施工が煩雑になるという問題があった。
【０００７】
本発明は、以上の如き状況を鑑みてなされたものであり、その解決しようとする課題は、ハンガーに取り付ける際の施工の簡易化を図ることができる取付具及び天井構造を提供するものである。
【課題を解決するための手段】
【０００８】
本発明の解決しようとする課題は以上の如くであり、次にこの課題を解決するための手段を説明する。
【０００９】
即ち、請求項１においては、底部と前記底部から立ち上がる一対の立ち上がり部との間に野縁受けを支持するハンガーに取り付けられる取付具であって、前記ハンガーの少なくとも一部分を掴むことにより前記一部分に保持される掴み部と、前記掴み部が前記一部分を掴むのに合わせて前記一対の立ち上がり部を互いに拘束する拘束部と、を具備するものである。
【００１０】
請求項２においては、前記掴み部は、前記一対の立ち上がり部のうち一方の第一立ち上がり部を掴み、前記拘束部は、前記掴み部に固定されていると共に、前記一対の立ち上がり部のうち他方の第二立ち上がり部と係合されることにより前記一対の立ち上がり部を互いに拘束するものである。
【００１１】
請求項３においては、前記掴み部は、所定方向に延びるようなスリット状に形成されると共に、前記所定方向の一側端部が開放された第一スリット部を有し、前記第一立ち上がり部が前記第一スリット部に挿入されることにより前記第一立ち上がり部を掴むように形成されるものである。
【００１２】
請求項４においては、前記掴み部は、前記第一スリット部に挿入された前記第一立ち上がり部が前記第一スリット部から抜けるのを規制する規制部を有するものである。
【００１３】
請求項５においては、前記拘束部は、所定方向に延びるようなスリット状に形成されると共に、前記所定方向の一側端部が開放された第二スリット部を有し、前記第二立ち上がり部が前記第二スリット部に挿入されることにより、前記一対の立ち上がり部を互いに拘束するものである。
【００１４】
請求項６においては、一枚の板状部材が折曲されることにより形成されているものである。
【００１５】
請求項７においては、底部と前記底部から立ち上がる一対の立ち上がり部との間に野縁受けを支持するハンガーを具備する天井構造であって、請求項１から請求項６までのいずれか一項に記載の取付具を具備するものである。
【発明の効果】
【００１６】
本発明の効果として、以下に示すような効果を奏する。
【００１７】
請求項１においては、ハンガーに取り付ける際の施工の簡易化を図ることができる。
【００１８】
請求項２においては、ハンガーの変形を効果的に抑制することができる。
【００１９】
請求項３においては、ハンガーに取り付ける際の施工の簡易化を効果的に図ることができる。
【００２０】
請求項４においては、ハンガーの変形を効果的に抑制することができる。
【００２１】
請求項５においては、ハンガーに取り付ける際の施工の簡易化を効果的に図ることができる。
【００２２】
請求項６においては、コスト削減を図ることができる。
【００２３】
請求項７においては、取付具をハンガーに取り付ける際の施工の簡易化を図ることができる。
【図面の簡単な説明】
【００２４】
【図１】第一実施形態に係る取付具を具備する天井構造を示した正面図。
【図２】同じく、取付具が取り付けられるハンガーを示した斜視図。
【図３】同じく、取付具が取り付けられるハンガーを示した正面図。
【図４】同じく、取付具、ハンガー及び野縁受けの組み付け状態を示した斜視図。
【図５】同じく、取付具、ハンガー及び野縁受けの組み付け状態を示した正面一部断面図。
【図６】同じく、取付具、ハンガー及び野縁受けの組み付け状態を示した側面図。
【図７】同じく、取付具、ハンガー及び野縁受けの組み付け状態を示した平面一部断面図。
【図８】同じく、取付具を示した斜視図。
【図９】（ａ）同じく、取付具を示した正面図。（ｂ）同じく、側面図。（ｃ）同じく、平面図。
【図１０】同じく、取付具が形成される板状部材を示した平面図。
【図１１】同じく、取付具をハンガーに取り付ける場合に所定の位置に配置した状態を示す斜視図。
【図１２】同じく、図１１に示す状態から取付具をハンガーに近接させた状態を示す斜視図。
【図１３】第二実施形態に係る取付具、ハンガー及び野縁受けの組み付け状態を示した斜視図。
【発明を実施するための形態】
【００２５】
以下の説明においては、図中に記した矢印に従って、上下方向、左右方向及び前後方向をそれぞれ定義する。
【００２６】
以下では、図１を用いて、第一実施形態に係る取付具４０を具備する天井構造１について説明する。
【００２７】
天井構造１は、鉄骨造の建物における天井の構造である。天井構造１は、吊りボルト１０、水平材２０、ハンガー３０、取付具４０、野縁受け７０、野縁８０及び天井面材９０を具備する。
【００２８】
吊りボルト１０は、前記建物の躯体Ａから吊り下げられるものである。吊りボルト１０は、躯体Ａに設けられたインサート（不図示）に取り付けられる。吊りボルト１０は、左右方向及び前後方向に互いに間隔をあけて複数設けられる。なお、図１においては、複数設けられる吊りボルト１０のうち、前後方向に互いに間隔をあけて配置された３本の吊りボルト１０が示されている。
【００２９】
水平材２０は、吊りボルト１０を補強するものである。水平材２０は、長尺状に形成され、長手方向を横方向に向けて配置される。水平材２０は、複数の吊りボルト１０の上下方向中途部において、当該複数の吊りボルト１０をそれぞれ跨ぐように配置される。水平材２０は、金具等を用いて各吊りボルト１０に固定される。
【００３０】
ハンガー３０は、後述する野縁受け７０を支持するものである。ハンガー３０は、各吊りボルト１０の下端部にボルト１１を用いて取り付けられる。なお、ハンガー３０の構成についての詳細な説明は後述する。
【００３１】
取付具４０は、ハンガー３０の変形を防止するものである。取付具４０は、ハンガー３０に取り付けられる。なお、取付具４０の構成についての詳細な説明は後述する。
【００３２】
野縁受け７０は、後述する野縁８０を支持するものである。野縁受け７０は、長尺状に形成され、長手方向を横方向に向けて配置される。野縁受け７０は複数設けられ、各野縁受け７０は複数のハンガー３０に支持される。なお、図１においては、長手方向を前後方向（横方向）に向けて配置された１本の野縁受け７０が示されている。
【００３３】
野縁８０は、後述する天井面材９０を支持するのものである。野縁８０は、長尺状に形成され、長手方向を横方向に向けて配置される。野縁８０は、金具等を用いて野縁受け７０に支持される。野縁８０は複数設けられ、各野縁８０は複数の野縁受け７０に支持される。なお、図１においては、長手方向を左右方向（横方向）に向けて配置された４本の野縁８０が示されている。
【００３４】
天井面材９０は、天井面を構成するものである。天井面材９０は、例えば板状の石膏ボードにより形成される。天井面材９０は、その板面を上下方向に向けて配置される。天井面材９０は、金具等を用いて野縁８０に支持される。
【００３５】
次に、図２及び図３を用いて、ハンガー３０の構成について詳細に説明する。
【００３６】
なお、天井構造１において、ハンガー３０は複数設けられる。複数のハンガー３０はそれぞれ、各々が支持する野縁受け７０の長手方向の向きに応じて、異なる方向を向くこととなる。そこで以下では、図１に示すハンガー３０（長手方向を前後方向に向けて配置された野縁受け７０を支持するハンガー３０）を例にあげて説明するものとする。
【００３７】
図２及び図３に示すハンガー３０は、金属製の板状部材が適宜折曲されて形成される。ハンガー３０は、底部３１、左側壁部３２、右側壁部３３及び天部３４を具備する。
【００３８】
底部３１は、ハンガー３０の下端部に形成される。底部３１は、略板状であって、その板面を上下方向に向けて形成される。
【００３９】
左側壁部３２は、底部３１の左端部から立ち上がるように形成される。左側壁部３２は、略板状であって、その板面を左右方向へ向けて形成される。
【００４０】
右側壁部３３は、底部３１の右端部から立ち上がるように形成される。右側壁部３３は、略板状であって、その板面を概ね左右方向へ向けて形成される。より詳細には、右側壁部３３は、底部３１の右端部から右上方へ向けて延びると共に、上下方向中途部で左上方に折曲するように形成される。こうして、右側壁部３３は、正面視で右方へ膨出した形状に形成される。
【００４１】
また、右側壁部３３は、左右方向において底部３１を挟んで左側壁部３２と対向するように形成される。こうして、右側壁部３３は、左側壁部３２と共に底部３１から立ち上がる一対の側壁部（立ち上がり部）として構成される。右側壁部３３の高さは、左側壁部３２よりも小さく形成される。右側壁部３３の上端部は、自由端とされる。右側壁部３３の上端部は、左側壁部３２から左右方向に離間している。右側壁部３３の上端部には、戻り止め３７が形成される。
【００４２】
戻り止め３７は、右側壁部３３の上端部の一部分が切断されると共に、当該切断された部分近傍で右方に折曲するように形成される。こうして、戻り止め３７は、略板状であって、その板面を左上方及び右下方へ向けて形成される。また、戻り止め３７の下端部は、左下方を臨むように形成される。戻り止め３７の下端部は、左側壁部３２と底部３１と右側壁部３３とにより区画される空間（後述する収容空間３５）内に、当該右側壁部３３から飛び出るように形成される。
【００４３】
天部３４は、ハンガー３０の上端部に形成される。天部３４は、略板状であって、その板面を上下方向へ向けて形成される。天部３４は、左側壁部３２の上端部から左方へ向けて突出するように形成される。天部３４には、取付孔３８が形成される。取付孔３８は、天部３４を上下方向に貫通する。
【００４４】
こうして、ハンガー３０は、左側壁部３２、底部３１及び右側壁部３３により、正面視で略Ｊ字状に形成される。また、ハンガー３０には、左側壁部３２、底部３１及び右側壁部３３により、上方、前方及び後方が開放された空間が区画される。当該空間には、後述するように、野縁受け７０が長手方向を前後方向へ向けた状態で収容される。なお以下では、当該空間を「収容空間３５」と称する。
【００４５】
次に、図４から図７を用いて、ハンガー３０が野縁受け７０を支持する構成（組み付け状態）について詳細に説明する。
【００４６】
ハンガー３０は、左側壁部３２、底部３１及び右側壁部３３との間、すなわち収容空間３５に野縁受け７０を収容する。収容空間３５に収容された野縁受け７０は、当該収容空間３５を前後方向に挿通した状態で底部３１に載置される。こうして、ハンガー３０は、収容空間３５の内側で載置することによって野縁受け７０を支持する。
【００４７】
なお、野縁受け７０は、ハンガー３０に支持された（収容空間３５に収容された）状態で、当該野縁受け７０の上端部が収容空間３５の内側に位置するように形成される。より詳細には、野縁受け７０の上端部は、上下方向においてハンガー３０の戻り止め３７の下端部よりも下方に位置するように形成される。
【００４８】
ここで、戻り止め３７の下端部は、収容空間３５内に右側壁部３３から飛び出るように形成される。このような構成により、例えば地震が発生した場合に、野縁受け７０が天井の揺れに応じて収容空間３５の外側（上方）に飛び出そうとしても、当該野縁受け７０が戻り止め３７に当接され、上方への移動が規制されることとなる。このように、ハンガー３０は、地震が発生した場合であっても、戻り止め３７によって野縁受け７０が収容空間３５の外側へ飛び出すのを抑制することができ、ひいては当該野縁受け７０がハンガー３０から脱落するのを抑制することができる。
【００４９】
次に、図８及び図９を用いて、取付具４０の構成について詳細に説明する。
【００５０】
なお、天井構造１において、取付具４０は複数設けられる。複数の取付具４０はそれぞれ、各々が取り付けられるハンガー３０の向きに応じて、異なる方向を向くこととなる。そこで以下では、図１に示すハンガー３０に取り付けられる取付具４０を例にあげて説明するものとする。
【００５１】
取付具４０は、弾性を有する金属製の板状部材が適宜折曲されて形成される。取付具４０は、掴み部５０及び拘束部６０を具備する。
【００５２】
掴み部５０は、ハンガー３０の少なくとも一部分（本実施形態においては、ハンガー３０の左側壁部３２）を掴むことにより当該一部分に保持されるものである。掴み部５０は、右側板部５１、後側板部５２、左側板部５３及び第一スリット部５４を具備する。
【００５３】
右側板部５１は、側面視で略矩形の板状に形成される。右側板部５１は、その板面を左右方向へ向けて形成される。
【００５４】
後側板部５２は、背面視で上下方向に細長い略矩形の板状に形成される。後側板部５２の左端部は、右側板部５１の後端部と一体的に接続される。また、後側板部５２の右端部は、後述する左側板部５３の後端部と一体的に接続される。
【００５５】
左側板部５３は、側面視で略矩形の板状に形成される。左側板部５３は、その板面を左右方向へ向けて形成される。左側板部５３は、右側板部５１と略同一の大きさ及び形状に形成される。左側板部５３は、左右方向において後側板部５２を挟んで右側板部５１と対向するように形成される。こうして、左側板部５３は、右側板部５１と共に後側板部５２から前方へ延びるように形成された一対の板部として構成される。また、左側板部５３と右側板部５１との間には、左右方向に所定の隙間（後述する第一スリット部５４）が形成される。左側板部５３の前端部には、戻り止め５６が形成される。
【００５６】
戻り止め５６は、ハンガー３０の戻り止め３７と略同様に構成される。具体的には、戻り止め５６は、左側板部５３の前端部の一部分が切断されると共に、当該切断された部分近傍で左方に折曲するように形成される。こうして、戻り止め５６は、略板状であって、その板面を右前方及び左後方へ向けて形成される。また、戻り止め５６の後端部は、右後方を臨むように形成される。戻り止め５６の後端部は、左側板部５３と後側板部５２と右側板部５１とにより区画される空間（後述する第一スリット部５４）内に、当該左側板部５３から飛び出るように形成される。すなわち、左右方向において、戻り止め５６の後端部と右側板部５１との間の長さ（換言すると、後述する第一スリット部５４の前端部の左右方向の長さ（幅））は、ハンガー３０の左側壁部３２の左右方向の長さ（幅）よりも短く形成される。
【００５７】
第一スリット部５４は、左側板部５３と後側板部５２と右側板部５１との間に区画された空間（隙間）である。ここで、後側板部５２の左右方向の長さは、左側板部５３及び右側板部５１の前後方向の長さよりも比較的短く形成される。このように、第一スリット部５４は、平面視で前後方向に延びるスリット状に形成される。第一スリット部５４は、前端部が開放され、後方へ延びるように形成される。第一スリット部５４は、左右方向の長さ（幅）が、ハンガー３０の左側壁部３２の左右方向の長さ（幅）と同一、又は若干小さく形成される。第一スリット部５４の内側において、後側板部５２の前面から戻り止め５６の後端部までの前後方向の長さは、ハンガー３０の左側壁部３２の前後方向の長さよりも長く形成される。
【００５８】
なお、後述するように、第一スリット部５４の内側には、ハンガー３０の左側壁部３２が挿入される。また、第一スリット部５４の内側に挿入された左側壁部３２は、戻り止め５６によって当該第一スリット部５４の外側に抜けることが規制される。
【００５９】
こうして、掴み部５０は、左側板部５３と後側板部５２と右側板部５１とにより区画しした第一スリット部５４と、戻り止め５６によって、当該第一スリット部５４の内側に挿入された部材（本実施形態においては、ハンガー３０の左側壁部３２）を掴むことが可能な略クリップ状に形成される。なお、本実施形態において、前記掴むとは、第一スリット部５４の内側に挿入したハンガー３０の左側壁部３２を、当該第一スリット部５４の外側に抜け難く保持することを指す。すなわち、掴み部５０は、ハンガー３０の左側壁部３２を掴むことにより、当該左側壁部３２に保持されることとなる。
【００６０】
拘束部６０は、掴み部５０がハンガー３０の左側壁部３２を掴むのに合わせて、当該ハンガー３０の左側壁部３２と右側壁部３３とを互いに拘束するものである。拘束部６０は、拘束板部６１及び第二スリット部６２を具備する。
【００６１】
拘束板部６１は、平面視で略矩形の板状に形成される。拘束板部６１は、その板面を上下方向へ向けて形成される。拘束板部６１の前後方向の長さは、右側板部５１の前後方向の長さと略同一に形成される。拘束板部６１の左端部は、掴み部５０の右側板部５１の下端部と一体的に接続される。こうして、拘束板部６１（拘束部６０）は、掴み部５０と一体的に接続される。
【００６２】
第二スリット部６２は、前後方向に延びるスリット状に形成される。第二スリット部６２は、拘束板部６１の一部分を切り欠いたように形成される。より詳細には、第二スリット部６２は、拘束板部６１の前端部が開放され、後方へ向けて延びるように形成される。第二スリット部６２は、左右方向の長さ（幅）が、ハンガー３０の右側壁部３３（より詳細には、右側壁部３３のうち、戻り止め３７）の左右方向の長さ（幅）と同一、又は若干長く形成される。第二スリット部６２の前後方向の長さは、ハンガー３０の右側壁部３３（戻り止め３７）の前後方向の長さよりも長く形成される。また、第二スリット部６２は、平面視で掴み部５０の第一スリット部５４と左右方向に対向するように形成される。第二スリット部６２は、掴み部５０の第一スリット部５４と互いに平行になるように形成される。第二スリット部６２は、拘束板部６１の右側部に形成される。
【００６３】
次に、図１０を用いて、取付具４０が形成される板状部材について説明する。
【００６４】
なお、図１０は、取付具４０が形成される板状部材（以下では、板状部材１００と称する）の平面図を示している。
【００６５】
板状部材１００は、弾性を有する１枚の金属製の平板状の部材である。板状部材１００は、平面視で前後方向に長く、かつ、後部が左右方向に長い略Ｌ字状に形成される。板状部材１００には、折り曲げられる部分（折り目）が複数設けられる。具体的には、板状部材１００には、複数の折り目として、第一折り目１０１、第二折り目１０２、第三折り目１０３及び第四折り目１０４が設けられる。
【００６６】
第一折り目１０１は、板状部材１００の後部において左右方向中途部を前後方向に延びるように設けられる。また、第二折り目１０２は、板状部材１００の前後方向中途部を左右方向に延びるように設けられる。なお、第二折り目１０２の左端部は、第一折り目１０１の前端部と接続される。第三折り目１０３は、第二折り目１０２の若干前方に離間して設けられる。第四折り目１０４は、板状部材１００の前端部近傍において、左右方向に延びるように設けられる。なお、第四折り目１０４の右端部及び左端部は、板状部材１００の前部の左端部及び右端部よりも内側に設けられる。
【００６７】
また、板状部材１００には、切り欠き部１１１及び切れ目１１２が設けられる。切り欠き部１１１は、板状部材１００の左後部に設けられる。切り欠き部１１１は、後端部が開放されると共に、前方に延びるように設けられる。切れ目１１２は、板状部材１００の前部の左端部及び右端部にそれぞれ設けられる。２つの切れ目１１２は、平面視で略Ｌ字状に設けられ、それぞれ第四折り目１０４の右端部及び左端部に接続される。
【００６８】
こうして、板状部材１００は、複数の折り目（第一折り目１０１、第二折り目１０２、第三折り目１０３及び第四折り目１０４）及び切れ目１１２によって、複数の部分に区画される。具体的には、板状部材１００のうち、第一折り目１０１の左方に、第一部分１２１が区画される。同様に、第一折り目１０１の右方、かつ、第二折り目１０２の後方に第二部分１２２が区画される。また、第二折り目１０２と第三折り目１０３との間に、第三部分１２３が区画される。また、第三折り目１０３と第四折り目１０４及び切れ目１１２との間に、第四部分１２４が区画される。また、第四折り目１０４及び切れ目１１２の前方に、第五部分１２５が区画される。
【００６９】
上述の如き構成の板状部材１００においては、第一折り目１０１を介して、第一部分１２１が第二部分１２２に対して上方（紙面手前側）に折り曲げられる。また、第二折り目１０２及び第三折り目１０３を介して、第三部分１２３が第二部分１２２に対して下方（紙面奥側）に折り曲げられると共に、第四部分１２４が第三部分１２３に対して後方に折り曲げられる。また、第四折り目１０４を介して、第五部分１２５が第四部分１２４に対して若干下方に折り曲げられる。
【００７０】
こうして、板状部材１００が適宜折り曲げられると、取付具４０が完成する。なお、板状部材１００における第一部分１２１は、取付具４０の拘束板部６１に相当する。同様に、第二部分１２２は、右側板部５１に相当する。また、第三部分１２３は、後側板部５２に相当する。また、第四部分１２４は、左側板部５３に相当する。また、第五部分１２５は、左側板部５３のうち戻り止め５６に相当する。また、切り欠き部１１１は、第二スリット部６２に相当する。また、板状部材１００を折り曲げた後における第二部分１２２と第四部分１２４との間（隙間）が、第一スリット部５４に相当する。
【００７１】
このように、取付具４０は、１枚の金属製の平板状である板状部材１００を適宜折曲させることで形成することができるため、比較的容易に製造することができ、ひいてはコスト削減を図ることができる。
【００７２】
次に、図４から図７、図１１及び図１２を用いて、取付具４０のハンガー３０への取り付け態様についてに詳細に説明する。
【００７３】
なお、取付具４０が取り付けられるハンガー３０には、野縁受け７０が支持された状態であるものとする。
【００７４】
図１１に示すように、取付具４０をハンガー３０に取り付ける場合、まず取付具４０を所定の位置に配置する。所定の位置とは、ハンガー３０の後方、かつ、取付具４０がハンガー３０の上端部と前後方向に対向する位置（より詳細には、取付具４０の下端部がハンガー３０の収容空間３５の上端部と前後方向に対向する位置）である。取付具４０が所定の位置に配置されると、取付具４０の第一スリット部５４の前方には、ハンガー３０の左側壁部３２が配置される。また、取付具４０の第二スリット部６２の前方には、ハンガー３０の戻り止め３７が配置される。
【００７５】
こうして、取付具４０が所定の位置に配置された後、当該取付具４０はハンガー３０側（前方）へ移動される。
【００７６】
ここで、上述の如く、取付具４０の第一スリット部５４の前端部の左右方向の幅は、ハンガー３０の左側壁部３２の左右方向の幅よりも短く形成される。したがって、取付具４０を前方へ移動させると、図１２に示すように、第一スリット部５４の前端部がハンガー３０の左側壁部３２と当接することとなる。このような状態で、さらに取付具４０を前方へ移動させると、ハンガー３０の左側壁部３２によって、第一スリット部５４の前端部の左右方向の幅が大きくなるように、取付具４０の左側板部５３が押し曲げられる（弾性変形する）。これにより、図４等に示すように、取付具４０の第一スリット部５４の内側に、ハンガー３０の左側壁部３２を挿入することができる。
【００７７】
なお、取付具４０の第一スリット部５４の内側にハンガー３０の左側壁部３２が挿入されると、当該取付具４０の左側板部５３の形状が復元する。すなわち、取付具４０の左側板部５３の戻り止め５６の後端部が、第一スリット部５４内に飛び出ることとなる。これによって、例えばハンガー３０の左側壁部３２が、取付具４０の第一スリット部５４の外側に抜けようとた場合（第一スリット部５４に対して相対的に前方へ移動しようとした場合）には、当該左側壁部３２が戻り止め５６に当接されることとなる。すなわち、ハンガー３０の左側壁部３２は、取付具４０の第一スリット部５４の内側に一旦挿入されてしまうと、第一スリット部５４の外側に抜けることが戻り止め５６により規制される。
【００７８】
こうして、取付具４０の第一スリット部５４の内側にハンガー３０の左側壁部３２を挿入すると、当該左側壁部３２を第一スリット部５４の外側に容易に抜け難く保持することができる。すなわち、取付具４０の（第一スリット部５４を有する）掴み部５０は、ハンガー３０の左側壁部３２を掴む（挟み込む）ことにより、当該左側壁部３２に保持される。
【００７９】
また、上述の如く取付具４０の第一スリット部５４の内側にハンガー３０の左側壁部３２が挿入される際には、当該挿入に合わせて（挿入に応じて略同一のタイミングで）取付具４０の第二スリット部６２の内側にハンガー３０の右側壁部３３（より詳細には、右側壁部３３の戻り止め３７）が挿入される。取付具４０の第二スリット部６２の内側にハンガー３０の戻り止め３７が挿入されると、ハンガー３０の戻り止め３７は、取付具４０の第二スリット部６２と係合される。
【００８０】
こうして、取付具４０の第二スリット部６２がハンガー３０の戻り止め３７と係合されると、当該ハンガー３０の収容空間３５の上方へ開放されていた上端部が取付具４０の拘束部６０（より詳細には、拘束板部６１）によって塞がれることとなる。ここで、拘束板部６１の左端部は、掴み部５０の右側板部５１の下端部と一体的に接続される。また、拘束板部６１の右側部は、第二スリット部６２によりハンガー３０の右側壁部３３（戻り止め３７）と係合される。すなわち、取付具４０の第二スリット部６２がハンガー３０の戻り止め３７と係合されると、収容空間３５の上端部を構成するハンガー３０の左側壁部３２と右側壁部３３とが、拘束板部６１（拘束部６０）により互いに拘束される。
【００８１】
このように、所定の位置に配置された取付具４０を前方に移動させ、取付具４０の第一スリット部５４の内側にハンガー３０の左側壁部３２が挿入されると共に、取付具４０の第二スリット部６２の内側にハンガー３０の戻り止め３７が挿入されると、取付具４０のハンガー３０への取り付けが完了する。
【００８２】
すなわち、取付具４０がハンガー３０に取り付けられた場合には、取付具４０の掴み部５０がハンガー３０の左側壁部３２を掴んで保持されると共に、この掴むのに合わせて取付具４０の拘束部６０がハンガー３０の右側壁部３３（戻り止め３７）と係合して、当該ハンガー３０の左側壁部３２と右側壁部３３とを互いに拘束することができる。
【００８３】
以上のように、取付具４０のハンガー３０への取り付けは、所定の位置に配置された取付具４０をハンガー３０側（前方）へ移動させることのみで行うことができる。このように、取付具４０をハンガー３０に取り付ける際には、例えばネジを螺合させる等の作業を行う必要がないため、施工の簡易化を図ることができる。
【００８４】
また、所定の位置とは、取付具４０がハンガー３０の上端部と前後方向に対向する位置であることから、所定の位置に配置された取付具４０は、ハンガー３０の収容空間３５に支持された野縁受け７０よりも上方に位置することとなる。したがって、ハンガー３０に野縁受け７０が支持された状態であっても、当該野縁受け７０と干渉することなく、取付具４０をハンガー３０に取り付けることができる。
【００８５】
ここで、例えば地震が発生して天井が揺れた場合、ハンガー３０に支持された野縁受け７０が収容空間３５の内側で意図せぬ動きをする場合がある。このような場合、ハンガー３０が、野縁受け７０の動きによって変形するおそれがある。特に、ハンガー３０においては、収容空間３５を構成する右側壁部３３が上端部を自由端としているため、当該右側壁部３３が左側壁部３２から離間するように（収容空間３５の上端部が開くように）変形し易くなっている。このように、ハンガー３０が変形した場合には、野縁受け７０がハンガー３０から落下するおそれもある。
【００８６】
しかしながら、取付具４０がハンガー３０に取り付けられると、ハンガー３０の左側壁部３２と右側壁部３３とが拘束部６０によって互いに拘束されるため、当該右側壁部３３が左側壁部３２から離間するように（収容空間３５の上端部が開くように）変形するのを抑制することができる。こうして、取付具４０がハンガー３０に取り付けられると、ハンガー３０の変形を抑制することができ、ひいては野縁受け７０がハンガー３０から落下するのを抑制することができる。
【００８７】
以上のように、本実施形態に係る取付具４０においては、
底部３１と前記底部３１から立ち上がる一対の立ち上がり部（左側壁部３２及び右側壁部３３）との間に野縁受け７０を支持するハンガー３０に取り付けられる取付具４０であって、
前記ハンガー３０の左側壁部３２（少なくとも一部分）を掴むことにより前記左側壁部３２に保持される掴み部５０と、
前記掴み部５０が前記左側壁部３２を掴むのに合わせて前記一対の立ち上がり部（左側壁部３２及び右側壁部３３）を互いに拘束する拘束部６０と、を具備するものである。
【００８８】
また、本実施形態に係る天井構造１においては、
底部３１と前記底部３１から立ち上がる一対の立ち上がり部（左側壁部３２及び右側壁部３３）との間に野縁受け７０を支持するハンガー３０を具備する天井構造１であって、
取付具４０を具備するものである。
【００８９】
このような構成により、ハンガー３０に取り付ける際の施工の簡易化を図ることができる。具体的には、本実施形態においては、取付具４０をハンガー３０に取り付ける際、取付具４０の掴み部５０がハンガー３０の左側壁部３２を掴むと、この掴むのに合わせて取付具４０の拘束部６０がハンガー３０の左側壁部３２と右側壁部３３（戻り止め３７）とを互いに拘束する。このように、取付具４０及び取付具４０を具備する天井構造１においては、ネジを螺合させる等の作業を行うことなく、取付具４０をハンガー３０に取り付けることができるため、施工の簡易化を図ることができる。
また、取付具４０がハンガー３０に取り付けられると、ハンガー３０の左側壁部３２と右側壁部３３とが拘束部６０によって互いに拘束されるため、ハンガー３０の変形を抑制することができ、ひいては野縁受け７０がハンガー３０から落下するのを抑制することができる。
【００９０】
また、取付具４０において、
前記掴み部５０は、
前記一対の立ち上がり部（左側壁部３２及び右側壁部３３）のうち一方の左側壁部３２（第一立ち上がり部）を掴み、
前記拘束部６０は、
前記掴み部５０に固定されていると共に、前記一対の立ち上がり部（左側壁部３２及び右側壁部３３）のうち他方の右側壁部３３（第二立ち上がり部）と係合されることにより前記一対の立ち上がり部（左側壁部３２及び右側壁部３３）を互いに拘束するものである。
【００９１】
このような構成により、取付具４０の掴み部５０がハンガー３０の左側壁部３２を掴むのに合わせて、拘束部６０を右側壁部３３と係合させることによって、左側壁部３２と右側壁部３３とを拘束することができるため、当該左側壁部３２と右側壁部３３との互いの拘束を容易に外れ難くすることができる。こうして、ハンガー３０の変形を効果的に抑制することができ、ひいては野縁受け７０がハンガー３０から落下するのを効果的に抑制することができる。
【００９２】
また、取付具４０において、
前記掴み部５０は、
前後方向（所定方向）に延びるようなスリット状に形成されると共に、前端部（前記所定方向の一側端部）が開放された第一スリット部５４を有し、
前記左側壁部３２（第一立ち上がり部）が前記第一スリット部５４に挿入されることにより前記左側壁部３２（第一立ち上がり部）を掴むように形成されるものである。
【００９３】
このような構成により、ハンガー３０の左側壁部３２を取付具４０の掴み部５０の第一スリット部５４に挿入させるだけで、掴み部５０が左側壁部３２を掴むことができる。すなわち、簡易な作業を行うだけで、取付具４０をハンガー３０に取り付けることができるため、施工の簡易化を効果的に図ることができる。
【００９４】
また、取付具４０において、
前記掴み部５０は、
前記第一スリット部５４に挿入された前記左側壁部３２（第一立ち上がり部）が前記第一スリット部５４から抜けるのを規制する戻り止め５６（規制部）を有するものである。
【００９５】
このような構成により、取付具４０をハンガー３０に取り付けた後に、掴み部５０の第一スリット部５４からハンガー３０の左側壁部３２が容易に抜け難くすることができる。こうして、取付具４０がハンガー３０から脱落するのを効果的に抑制することができ、ひいてはハンガー３０の変形を効果的に抑制することができる。
【００９６】
また、取付具４０において、
前記拘束部６０は、
前後方向（所定方向）に延びるようなスリット状に形成されると共に、前端部（前記所定方向の一側端部）が開放された第二スリット部６２を有し、
前記右側壁部３３（第二立ち上がり部）が前記第二スリット部６２に挿入されることにより、前記一対の立ち上がり部（左側壁部３２及び右側壁部３３）を互いに拘束するものである。
【００９７】
このような構成により、ハンガー３０の右側壁部３３を取付具４０の拘束部６０の第二スリット部６２に挿入させるだけで、拘束部６０が左側壁部３２と右側壁部３３とを互いに拘束することができる。すなわち、簡易な作業を行うだけで、取付具４０により左側壁部３２と右側壁部３３とを互いに拘束することができるため、施工の簡易化を効果的に図ることができる。
【００９８】
また、取付具４０は、
一枚の板状部材１００が折曲されることにより形成されているものである。
【００９９】
このような構成により、比較的容易に製造することができ、ひいてはコスト削減を図ることができる。
【０１００】
なお、左側壁部３２及び右側壁部３３は、一対の立ち上がり部の実施の一形態である。
また、左側壁部３２は、第一立ち上がり部の実施の一形態である。
また、右側壁部３３は、第二立ち上がり部の実施の一形態である。
また、戻り止め５６は、規制部の実施の一形態である。
【０１０１】
以上、一実施形態を説明したが、本発明は上記構成に限定されるものではなく、特許請求の範囲に記載された発明の範囲内で種々の変更が可能である。
【０１０２】
例えば、取付具４０が取り付けられるハンガーは、本実施形態に係るハンガー３０の構成に限定されない。すなわち、取付具４０は、戻り止め３７を有しないハンガーや、右側壁部３３が正面視で右方へ膨出しない形状のハンガー等の、種々の構成のハンガーに取り付けることができる。
【０１０３】
また、取付具４０の戻り止め５６は、必ずしも有しなくともよい。なお、戻り止め５６が無い場合には、例えば第一スリット部５４が平面視で前方（開放される側）へ行くに従って左右方向の幅が短くなって、ハンガー３０の左側壁部３２を挟持可能である構成を有することが望ましい。なお、取付具４０は、戻り止め５６と、当該第一スリット部５４でハンガー３０の左側壁部３２を挟持可能である構成の両方を有してもよい。また、戻り止め５６は、左側板部５３ではなく、右側板部５１が有してもよく、また左側板部５３及び右側板部５１の両方が有してもよい。
【０１０４】
また、取付具４０の第二スリット部６２は、開放される前端部の左右方向の幅を、他の箇所の左右方向の幅よりも長く形成してもよい。このような構成により、ハンガー３０の戻り止め３７を、前記前端部により案内し、取付具４０の第二スリット部６２の内側に挿入し易くすることができる。
また、本実施形態のように、取付具４０の掴み部５０がハンガー３０の左側壁部３２を掴んで保持されると共に、この掴むのに合わせて取付具４０の拘束部６０がハンガー３０の右側壁部３３（戻り止め３７）と係合するのではなく、取付具４０の掴み部５０がハンガー３０の右側壁部３３（戻り止め３７）を掴んで保持されると共に、この掴むのに合わせて取付具４０の拘束部６０がハンガー３０の左側壁部３２と係合するものであってもよい。
【０１０５】
このように、取付具４０の掴み部５０が掴む場所は、ハンガー３０の左側壁部３２に限定するものではない。同様に、取付具４０の拘束部６０が係合する場所は、ハンガー３０の右側壁部３３（戻り止め３７）に限定するものではない。また、取付具４０の掴み部５０がハンガー３０の左側壁部３２を掴む構成は、本実施形態に係る構成に限定するものではない。同様に、取付具４０の拘束部６０がハンガー３０の右側壁部３３（戻り止め３７）係合する構成は、本実施形態に係る構成に限定するものではない。
【０１０６】
次に、図１３を用いて、第二実施形態に係る取付具４００の構成について説明する。
【０１０７】
なお、説明の便宜上、ハンガー３０は、戻り止め３７が設けられず、かつ、右側壁部３３が上方へ向かって真っ直ぐに延びるように形成されているものとする。
【０１０８】
第二実施形態に係る取付具４００は、右側板部４５１、後側板部４５２、左側板部４５３及びスリット部４５４を具備する。
【０１０９】
右側板部４５１は、第一実施形態に係る右側板部５１と略同様に構成される。右側板部４５１には、右側戻り止め４５７が設けられる。右側戻り止め４５７は、第一実施形態に係る戻り止め５６と略同様（より詳細には、左右対称）に構成される。
【０１１０】
後側板部４５２は、背面視で略矩形の板状に形成される。後側板部４５２の右端部は、右側板部４５１の後端部と一体的に接続される。また、後側板部４５２の左端部は、後述する左側板部４５３の後端部と一体的に接続される。なお、後側板部４５２は、第一実施形態に係る後側板部５２とは異なり、左右方向の長さが長く（具体的には、ハンガー３０の左側壁部３２と右側壁部３３の左右方向の長さよりも若干長く）形成される。
【０１１１】
左側板部４５３は、第一実施形態に係る左側板部５３と略同様に構成される。左側板部４５３には、左側戻り止め４５６が設けられる。左側戻り止め４５６は、第一実施形態に係る戻り止め５６と略同様に構成される。
【０１１２】
スリット部４５４は、右側板部４５１、後側板部４５２及び左側板部４５３により区画される空間（隙間）である。スリット部４５４は、前端部が開放され、後方へ延びるように形成される。
【０１１３】
上述の如く構成された取付具４００は、第一実施形態に係る取付具４０と同様に、所定の位置に配置した後、前方に移動させることによって、ハンガー３０に取り付けることができる。なお、取付具４００をハンガー３０に取り付けた場合には、スリット部４５４の内側に、ハンガー３０の左側壁部３２及び右側壁部３３の両方が挿入される。
【０１１４】
こうして、取付具４００においては、スリット部４５４の内側にハンガー３０の左側壁部３２及び右側壁部３３の両方を挿入することによって、当該左側壁部３２及び右側壁部３３を掴むと共に、当該左側壁部３２及び右側壁部３３に保持される。また、スリット部４５４の内側にハンガー３０の左側壁部３２及び右側壁部３３の両方を挿入することによって、左側壁部３２と右側壁部３３とを互いに拘束する。
【０１１５】
このように、第二実施形態に係る取付具４００においては、第一実施形態に係る取付具４０とは異なり、当該取付具４０の掴み部５０及び拘束部６０（二つの部分）が備える機能を、右側板部４５１、後側板部４５２及び左側板部４５３から構成される一つの部分で備えることができる。
【符号の説明】
【０１１６】
１    天井構造
３０  ハンガー
３１  底部
３２  左側壁部
３３  右側壁部
４０  取付具
５０  掴み部
６０  拘束部
７０  野縁受け
【図１】
2019060134.tif 000003
【図２】
2019060134.tif 000004
【図３】
2019060134.tif 000005
【図４】
2019060134.tif 000006
【図５】
2019060134.tif 000007
【図６】
2019060134.tif 000008
【図７】
2019060134.tif 000009
【図８】
2019060134.tif 000010
【図９】
2019060134.tif 000011
【図１０】
2019060134.tif 000012
【図１１】
2019060134.tif 000013
【図１２】
2019060134.tif 000014
【図１３】
2019060134.tif 000015